(57)【要約】【課題】作業機械のハーネス保護編組に関し、良好な見栄えを確保することができるようにする。【解決手段】複数の色で彩色されている作業機械において、所定の分岐点ＴＰを境に各場所へ向かうように配線される複数のハーネス４０を所定数ずつ集約且つ保護する編組５１〜５４の色を、ハーネス４０それぞれの配線される場所の色に合致させるともに、分岐点ＴＰを境に変更する。【選択図】図１
2010095887.tif 000002
【特許請求の範囲】
【請求項１】
複数の色で彩色されている作業機械において、所定の分岐点を境に各場所へ向かうように配線される複数のハーネスを所定数ずつ集約且つ保護する編組であって、
その色が、該ハーネスそれぞれの配線される該場所の色に合致しているともに、該分岐点を境に変更されている
ことを特徴とする、作業機械のハーネス保護編組。
【発明の詳細な説明】
【技術分野】
【０００１】
本発明は、油圧ショベル等の作業機械において、ハーネスを保護する編組に関するものである。
【背景技術】
【０００２】
従来、油圧ショベルには複数のハーネスが配線されているが、図３に示すように、これら複数のハーネス１０１は、その保護と集約による見栄え向上とのために、絶縁性樹脂糸を円筒状に編んだ外装材としての編組１０２で被覆されている。なお、車両においてハーネスを編組で被覆することについては、例えば特許文献１に開示されている。
【特許文献１】特開２００７−２８８２０号公報
【発明の開示】
【発明が解決しようとする課題】
【０００３】
ところで、編組１０２は、一色で彩色されているのが現状である。しかしながら、油圧ショベルにおいては機体（架台としてのシャシーフレームやエンジンルームを囲う建屋カバー等）の色とキャブの色とは別になっており、ハーネスが機体からキャブへと延びている場合、ハーネス１０１を被覆する編組１０２の色を機体の色に合わせればキャブ内で編組１０２の色が目立ち、逆に、編組１０２の色をキャブの色に合わせれば機体で編組１０２の色が目立ち、見栄えが良くなかった。
【０００４】
本発明はこのような課題に鑑みて案出されたもので、良好な見栄えを確保することができるようにした、作業機械のハーネス保護編組を提供することを目的とする。
【課題を解決するための手段】
【０００５】
上記目的を達成するために、本発明の作業機械のハーネス保護編組は、複数の色で彩色されている作業機械において、所定の分岐点を境に各場所へ向かうように配線される複数のハーネスを所定数ずつ集約且つ保護する編組であって、その色が、該ハーネスそれぞれの配線される該場所の色に合致しているともに、該分岐点を境に変更されていることを特徴としている。
【発明の効果】
【０００６】
本発明の作業機械のハーネス保護編組によれば、編組の色が、集約且つ保護するハーネスの配線場所の色に合致しているので、編組がそれぞれの場所の中で目立ってしまうことがなく、複数のハーネスを編組で所定数ずつ集約且つ保護しながら、良好な見栄えを確保することができる。また、編組の色が所定の分岐点を境に変更されるので、編組の色の指定を容易に行なうことができる。
【発明を実施するための最良の形態】
【０００７】
以下、図面により、本発明の実施の形態について説明する。
［一実施形態］
本発明の一実施形態について図１及び図２により説明する。図１及び図２は本発明の一実施形態に係る作業機械のハーネス保護編組の模式図であって、図１はその編組の全体像を示す模式図、図２はその作業機械の全体像を示す側面図である。
【０００８】
＜構成＞
図２に示すように、油圧ショベル（作業機械）１は、下部走行体２と、下部走行体２上に旋回自在に結合された上部旋回体３と、上部旋回体３から前方へ延出するように取り付けられ種々の作業を行なう作業装置４とを有して構成されている。
上部旋回体３は、架台としてのシャシーフレーム５と、シャシーフレーム５の左側前部に載置されるオペレータ室としてのキャブ６と、シャシーフレーム５の後端部に配設され作業装置４と重量バランスをとるカウンタウエイト７と、シャシーフレーム５のキャブ６とカウンタウエイト７以外の部分を覆いその内部にエンジンルームＥＲが形成される建屋カバー８とを備えている。
【０００９】
ここで、油圧ショベル１は、主に黄色（第一色）と黒色（第二色）の２色で彩色されている。各部の色を詳細に説明すると、例えば下部走行体２や作業装置４のシリンダ４ａ及び作業機（バケット）４ｂ等は黒色で彩色されている。一方、例えばシャシーフレーム５や建屋カバー８の大部分や作業装置４のアーム４ｃ及びブーム４ｄ等は黄色で彩色されている。そして、特にキャブ６について、キャブ６の壁面を外側から見ると黒色に黄色が交じって彩色されているが（つまり、大部分が黒色で彩色されているが）、その壁面を内側から見ると黒色に統一されて彩色されている。なお、図２中、黒色で彩色される部分には認識しやすいようにドットを付している。
【００１０】
また、油圧ショベル１には、図１に示すように、電装品として、例えばエンジンのスタータモータ１１，エアコン１２，キャブランプ１３，モニタパネル１４，ラジオ１５，ワイパ１６，シャシーランプ１７，燃料センサ１８や油温センサ等の各種センサ，コントロールバルブ１９，コントローラ２０，各種アタッチメント２１等が装備されている。そして、これら電装品１１〜２１には、エンジンルームＥＲに搭載されたバッテリ３０からブレーカ３１を介して電力が供給されるようになっており、各電装品１１〜２１とバッテリ３０とはハーネス４０で接続されている。
【００１１】
電装品１１〜２１はまた、スタータモータ１１はエンジンルームＥＲに設置される一方、エアコン１２はキャブ６内に設置される等、その種類によって設置される場所が様々である。そのため、キャブ６内に載置される電装品（上に挙げた例では、エアコン１２，キャブランプ１３，モニタパネル１４，ラジオ１５，ワイパ１６）に対しては、ハーネス４０はそれぞれ、エンジンルームＥＲ内のバッテリ３０を基点にシャシーフレーム５を這うようにしてキャブ６内部に進入し、キャブ６内部において壁面を這うようにして各種電装品１２〜１６へと到達するようになっている。
【００１２】
このとき、バッテリ３０から延出する複数のハーネス４０は、一纏めに編組５１で集約且つ保護されている。そして、分岐点ＴＰで幾つかに分岐し、分岐点ＴＰから先は編組５１とは別の編組５２〜５４によって、各場所に向かうハーネス４０のうちの近接するもの同士が所定数ずつ一纏めに集約且つ保護されている。分岐点ＴＰは、予め設計段階で定められるものであって例えばキャブ６の後壁の後方に位置し、分岐点ＴＰを境に一部のハーネス４０がエンジンルームＥＲ内部からキャブ６内部へと延びている。
【００１３】
ここで、各編組５１〜５４は、それぞれが位置する場所の色に合わせて彩色されたものが使用されている。具体的には、エンジンルームＥＲ内に位置しシャシーフレーム５を這うように配設された編組５１，５３，５４は、シャシーフレーム５や建屋カバー８の色に合わせて黄色に彩色されたものが使用され、一方、キャブ６内に位置しキャブ６壁面を這うように配設された編組５２は、キャブ６壁面の色に合わせて黒色に彩色されたものが使用されている。
【００１４】
＜作用・効果＞
本発明の一実施形態にかかる作業機械のハーネス保護編組は上述のように構成されているので、以下のような作用・効果がある。
編組５１〜５４は、それぞれが位置する場所の色に合致した色で彩色されたものが使用されているので、編組５１〜５４の色がそれぞれの場所の中で目立ってしまうことがなく、複数のハーネス４０を編組５１〜５４で集約且つ保護しながら、良好な見栄えを確保することができる。
【００１５】
また、編組５１〜５４の色は、ハーネス４０がキャブ６とエンジンルームＥＲ等の他の場所とに分岐する分岐点ＴＰを境に変更されているので、編組５１〜５４の色の指定を容易に行なうことができる。
【００１６】
［その他］
以上、本発明の実施形態について説明したが、本発明は、上記実施形態に限定されず、本発明の趣旨を逸脱しない範囲で種々変更することが可能である。
例えば、上記実施形態では、キャブ６内部の壁面は黒色であり、シャシーフレーム５や建屋カバー８は黄色である例について説明したが、それぞれの色はこれに限定されるものではない。また、油圧ショベル１が主に２色で彩色されている例を説明したが、その色の数はこれに限定されるものではなく、複数色であれば良い。
また、編組５１〜５４の色に関し、キャブ６内部とエンジンルームＥＲ内部とで色が異なる場合において分色する例を説明したが、編組５１〜５４の色の指定はこれらの場所に限定されるものではない。
【００１７】
また、分岐点ＴＰがキャブ６の後壁の後方に位置している例について説明したが、ハーネス４０が各場所へと分岐する位置であれば、分岐点ＴＰは他の位置であっても（例えばキャブフロア下方であっても）もちろん良い。
また、上記実施形態で説明した電装品１１〜２１は一例であって、その種類はそれらに限定されるものではなく、また、それらに接続されるハーネス４０の分岐状態（換言すれば、編組５１〜５４による集約状態）も図２に示すものに限定されるものではない。
【００１８】
また、上記実施形態では油圧ショベル１について説明したが、油圧ショベル１以外のその他の作業機械に適用されても勿論良い。
【図面の簡単な説明】
【００１９】
【図１】本発明の一実施形態に係る作業機械のハーネス保護編組の全体像を示す模式図である。
【図２】本発明の一実施形態に係る作業機械の全体像を示す側面図である。
【図３】一般的な編組とハーネスとについて説明する模式図である。
【符号の説明】
【００２０】
１  油圧ショベル（作業機械）
２  下部走行体
３  上部旋回体
４  作業装置
５  シャシーフレーム
６  キャブ
７  カウンタウエイト
８  建屋カバー
１１  スタータモータ
１２  エアコン
１３  キャブランプ
１４  モニタパネル
１５  ラジオ
１６  ワイパ
１７  シャシーランプ
１８  燃料センサ
１９  コントロールバルブ
２０  コントローラ
２１  アタッチメント
３０  バッテリ
３１  ブレーカ
４０  ハーネス
５１〜５４  編組
【図１】
2010095887.tif 000003
【図２】
2010095887.tif 000004
【図３】
2010095887.tif 000005